【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
シール部材と突起と電極部とを備える液体噴射装置に装着されるように構成された液体供給ユニットであって、
前記液体噴射装置に液体を供給する液体供給部と、
前記液体供給部を囲み、かつ前記液体供給ユニットが前記液体噴射装置に装着された装着状態において前記シール部材に当接する外周壁と、
前記装着状態において、前記電極部に接触する複数の接触部と、
前記装着状態において、前記突起に嵌合する位置決め部と、を備え、
前記装着状態において、前記外周壁の端部と前記シール部材とが当接する面を含む平面を第１基準面とし、前記第１基準面と直交する方向をＺ軸方向とし、前記Ｚ軸方向と直交する方向をＸ軸方向とし、前記Ｚ軸方向および前記Ｘ軸方向と直交する方向をＹ軸方向とし、前記複数の接触部を含む平面を第２基準面とするとき、
前記液体供給ユニットを前記Ｚ軸方向に平面視したとき、前記Ｘ軸方向において、前記位置決め部は、前記外周壁の前記端部と前記複数の接触部との間に位置し、
前記液体供給ユニットを前記Ｘ軸方向に平面視したとき、前記Ｚ軸方向において、前記位置決め部は、前記外周壁の前記端部と前記複数の接触部との間に位置し、
前記装着状態において、前記第２基準面は、前記シール部材と交わる、
液体供給ユニット。
【請求項２】
請求項１に記載の液体供給ユニットにおいて、
前記液体供給ユニットを前記Ｚ軸方向に平面視したとき、前記Ｘ軸方向において、前記位置決め部は、前記外周壁の前記端部よりも前記複数の接触部のいずれかに近い、液体供給ユニット。
【請求項３】
請求項１に記載の液体供給ユニットにおいて、
前記液体供給ユニットを前記Ｘ軸方向に平面視したとき、前記Ｚ軸方向において、前記位置決め部は、前記複数の接触部よりも前記外周壁の前記端部に近い、液体供給ユニット。
【請求項４】
請求項１から請求項３のいずれか一項に記載の液体供給ユニットにおいて、
前記液体供給部の形成された第１壁部と、
前記第１壁部に対向する第２壁部と、
前記第１壁部および前記第２壁部と交差する第３壁部と、
前記第１壁部および前記第２壁部と交差し前記第３壁部と対向する第４壁部と、
前記第１壁部、前記第２壁部、前記第３壁部および前記第４壁部と交差する第５壁部と、
前記第１壁部、前記第２壁部、前記第３壁部および前記第４壁部と交差し、前記第５壁部と対向する第６壁部と、
前記第５壁部および前記第６壁部と交差し、前記第１壁部と前記第４壁部との間に位置する第７壁部と、を備え、
前記液体供給ユニットを前記Ｘ軸方向に平面視したとき、前記Ｚ軸方向において、前記位置決め部は、前記第１壁部のうち前記第２壁部に対向する面と前記外周壁の前記端部との間に位置する、液体供給ユニット。
【請求項５】
請求項４に記載の液体供給ユニットにおいて、
前記液体供給ユニットを前記Ｚ軸方向に平面視したとき、前記Ｘ軸方向において、前記位置決め部は、前記第７壁部と前記外周壁の前記端部との間に位置する、液体供給ユニット。
【請求項６】
請求項４または請求項５に記載の液体供給ユニットにおいて、
前記液体供給部は、前記第１壁部に形成された開口と、前記開口を覆うフィルターと、を含み、
前記液体供給ユニットを前記Ｘ軸方向に平面視したとき、前記Ｚ軸方向において、前記位置決め部は、前記開口と前記外周壁の前記端部との間に位置する、液体供給ユニット。
【請求項７】
請求項４から請求項６のいずれか一項に記載の液体供給ユニットにおいて、
前記第３壁部と前記第４壁部との距離は、前記第５壁部と前記第６壁部との距離より大きい、液体供給ユニット。
【請求項８】
シール部材と突起と電極部とを備える液体噴射装置であって、
請求項１から請求項７のいずれか一項に記載の液体供給ユニットと、
前記液体供給ユニットが装着されたキャリッジユニットと、
を備え、
前記キャリッジユニットは、前記Ｘ軸方向に沿って移動する、
液体噴射装置。
【請求項９】
シール部材と突起と電極部とを備える液体噴射装置に装着されるように構成された液体供給ユニットであって、
第１壁部と、
前記第１壁部に対向する第２壁部と、
前記第１壁部および前記第２壁部と交差する第３壁部と、
前記第１壁部および前記第２壁部と交差し前記第３壁部と対向する第４壁部と、
前記第１壁部、前記第２壁部、前記第３壁部および前記第４壁部と交差する第５壁部と、
前記第１壁部、前記第２壁部、前記第３壁部、前記第４壁部と交差し、前記第５壁部と対向する第６壁部と、
前記第５壁部および前記第６壁部と交差し、前記第１壁部と前記第４壁部との間に位置する第７壁部と、
を備え、
前記第１壁部には、前記液体噴射装置に液体を供給する液体供給部と、前記液体供給部を囲み、かつ前記液体供給ユニットが前記液体噴射装置に装着された装着状態において前記シール部材に当接する外周壁と、前記突起に嵌合する位置決め部と、が設けられ、
前記第７壁部には、前記装着状態において前記電極部に接触する複数の接触部が設けられ、
前記第１壁部と、前記第２壁部と、前記第３壁部と、前記第４壁部と、前記第５壁部と、前記第６壁部と、前記第７壁部と、が前記液体供給部に連通する液体収容部を囲み、
前記第７壁部のうち前記液体収容部側の面を含む平面が、前記液体供給部と交わる、
液体供給ユニット。
【請求項１０】
シール部材と突起と電極部とを備える液体噴射装置に装着されるように構成された液体供給ユニットであって、
第１壁部と、
前記第１壁部に対向する第２壁部と、
前記第１壁部および前記第２壁部と交差する第３壁部と、
前記第１壁部および前記第２壁部と交差し前記第３壁部と対向する第４壁部と、
前記第１壁部、前記第２壁部、前記第３壁部および前記第４壁部と交差する第５壁部と、
前記第１壁部、前記第２壁部、前記第３壁部、前記第４壁部と交差し、前記第５壁部と対向する第６壁部と、
前記第５壁部および前記第６壁部と交差し、前記第１壁部と前記第４壁部との間に位置する第７壁部と、
前記第７壁部に設けられた基板と、
を備え、
前記第１壁部には、前記液体噴射装置に液体を供給する液体供給部と、前記液体供給部を囲み、かつ前記液体供給ユニットが前記液体噴射装置に装着された装着状態において前記シール部材に当接する外周壁と、前記装着状態において前記突起に嵌合する位置決め部と、が設けられ、
前記基板には、前記装着状態において前記電極部に接触する複数の接触部が設けられ、
前記第１壁部と、前記第２壁部と、前記第３壁部と、前記第４壁部と、前記第５壁部と、前記第６壁部と、および前記第７壁部と、が前記液体供給部に連通する液体収容部を囲み、
前記装着状態において、前記第７壁部のうち前記基板側の面を含む平面が、前記シール部材と交わる、
液体供給ユニット。
【請求項１１】
シール部材と突起と電極部とを備える液体噴射装置に装着されるように構成された液体供給ユニットであって、
第１壁部と、
前記第１壁部に対向する第２壁部と、
前記第１壁部および前記第２壁部と交差する第３壁部と、
前記第１壁部および前記第２壁部と交差し前記第３壁部と対向する第４壁部と、
前記第１壁部、前記第２壁部、前記第３壁部および前記第４壁部と交差する第５壁部と、
前記第１壁部、前記第２壁部、前記第３壁部、前記第４壁部と交差し、前記第５壁部と対向する第６壁部と、
前記第５壁部および前記第６壁部と交差し、前記第１壁部と前記第４壁部との間に位置する第７壁部と、
前記第７壁部に載置された基板と、
を備え、
前記第１壁部には、前記液体噴射装置に液体を供給する液体供給部と、前記液体供給部を囲み、かつ前記液体供給ユニットが前記液体噴射装置に装着された装着状態において前記シール部材に当接する外周壁と、前記装着状態において前記突起に嵌合する位置決め部と、が設けられ、
前記基板には、前記装着状態において前記電極部に接触する複数の接触部が設けられ、
前記第１壁部と、前記第２壁部と、前記第３壁部と、前記第４壁部と、前記第５壁部と、前記第６壁部と、および前記第７壁部と、が前記液体供給部に連通する液体収容部を囲み、
前記装着状態において、前記複数の接触部を含む平面が、前記シール部材と交わる、
液体供給ユニット。
【請求項１２】
請求項９から請求項１１のいずれか一項に記載の液体供給ユニットにおいて、
前記第３壁部と前記第４壁部との距離は、前記第５壁部と前記第６壁部との距離より大きい、液体供給ユニット。
【請求項１３】
シール部材と突起と電極部とを備える液体噴射装置であって、
請求項９から請求項１２のいずれか一項に記載の液体供給ユニットと、
前記液体供給ユニットが装着されたキャリッジユニットと、
を備え、
前記キャリッジユニットは、前記第３壁部から前記第４壁部に向かう方向に沿って移動する、液体噴射装置。
【手続補正２】
【補正対象書類名】明細書
【補正対象項目名】０００５
【補正方法】変更
【補正の内容】
【０００５】
本発明は、上述の課題の少なくとも一部を解決するためになされたものであり、以下の態様又は形態として実現することが可能である。
本発明の第１の態様は、シール部材と突起と電極部とを備える液体噴射装置に装着されるように構成された液体供給ユニットであって、
前記液体噴射装置に液体を供給する液体供給部と、
前記液体供給部を囲み、かつ前記液体供給ユニットが前記液体噴射装置に装着された装着状態において前記シール部材に当接する外周壁と、
前記装着状態において、前記電極部に接触する複数の接触部と、
前記装着状態において、前記突起に嵌合する位置決め部と、を備え、
前記装着状態において、前記外周壁の端部と前記シール部材とが当接する面を含む平面を第１基準面とし、前記第１基準面と直交する方向をＺ軸方向とし、前記Ｚ軸方向と直交する方向をＸ軸方向とし、前記Ｚ軸方向および前記Ｘ軸方向と直交する方向をＹ軸方向とし、前記複数の接触部を含む平面を第２基準面とするとき、
前記液体供給ユニットを前記Ｚ軸方向に平面視したとき、前記Ｘ軸方向において、前記位置決め部は、前記外周壁の前記端部と前記複数の接触部との間に位置し、
前記液体供給ユニットを前記Ｘ軸方向に平面視したとき、前記Ｚ軸方向において、前記位置決め部は、前記外周壁の前記端部と前記複数の接触部との間に位置し、
前記装着状態において、前記第２基準面は、前記シール部材と交わる、
液体供給ユニットである。このような態様の液体供給ユニットによれば、液体噴射装置に対する液体供給部と接触部との両方の接触位置の精度を向上させることができる。
上記態様の液体供給ユニットにおいて、前記液体供給ユニットを前記Ｚ軸方向に平面視したとき、前記Ｘ軸方向において、前記位置決め部は、前記外周壁の前記端部よりも前記複数の接触部のいずれかに近くてもよい。このような態様によれば、液体噴射装置に対する液体供給ユニットの液体供給部と接触部との両方の接触位置の精度を向上させることができる。
上記態様の液体供給ユニットにおいて、前記液体供給ユニットを前記Ｘ軸方向に平面視したとき、前記Ｚ軸方向において、前記位置決め部は、前記複数の接触部よりも前記外周壁の前記端部に近くてもよい。このような態様によれば、液体噴射装置に対する液体供給部と接触部との両方の接触位置の精度を向上させることができる。
上記態様の液体供給ユニットは、更に、前記液体供給部の形成された第１壁部と、前記第１壁部に対向する第２壁部と、前記第１壁部および前記第２壁部と交差する第３壁部と、前記第１壁部および前記第２壁部と交差し前記第３壁部と対向する第４壁部と、前記第１壁部、前記第２壁部、前記第３壁部および前記第４壁部と交差する第５壁部と、前記第１壁部、前記第２壁部、前記第３壁部および前記第４壁部と交差し、前記第５壁部と対向する第６壁部と、前記第５壁部および前記第６壁部と交差し、前記第１壁部と前記第４壁部との間に位置する第７壁部と、を備え、前記液体供給ユニットを前記Ｘ軸方向に平面視したとき、前記Ｚ軸方向において、前記位置決め部は、前記第１壁部のうち前記第２壁部に対向する面と前記外周壁の前記端部との間に位置してもよい。このような態様によれば、液体噴射装置に対する液体供給部の接触位置の精度を向上させることができる。
上記態様の液体供給ユニットにおいて、前記液体供給ユニットを前記Ｚ軸方向に平面視したとき、前記Ｘ軸方向において、前記位置決め部は、前記第７壁部と前記外周壁の前記端部との間に位置してもよい。このような態様によれば、液体噴射装置に対する液体供給部の接触位置の精度を向上させることができる。
上記態様の液体供給ユニットにおいて、前記液体供給部は、前記第１壁部に形成された開口と、前記開口を覆うフィルターと、を含み、前記液体供給ユニットを前記Ｘ軸方向に平面視したとき、前記Ｚ軸方向において、前記位置決め部は、前記開口と前記外周壁の前記端部との間に位置してもよい。このような態様によれば、液体噴射装置に対する液体供給部の接触位置の精度を高めることができる。
上記態様の液体供給ユニットにおいて、前記第３壁部と前記第４壁部との距離は、前記第５壁部と前記第６壁部との距離より大きくてもよい。
本発明の他の態様によれば、シール部材と突起と電極部とを備える液体噴射装置が提供される。液体噴射装置は、上記態様の液体供給ユニットと、前記液体供給ユニットが装着されたキャリッジユニットと、を備える。前記キャリッジユニットは、前記Ｘ軸方向に沿って移動してもよい。
本発明の第２の態様は、シール部材と突起と電極部とを備える液体噴射装置に装着されるように構成された液体供給ユニットであって、
第１壁部と、
前記第１壁部に対向する第２壁部と、
前記第１壁部および前記第２壁部と交差する第３壁部と、
前記第１壁部および前記第２壁部と交差し前記第３壁部と対向する第４壁部と、
前記第１壁部、前記第２壁部、前記第３壁部および前記第４壁部と交差する第５壁部と、
前記第１壁部、前記第２壁部、前記第３壁部、前記第４壁部と交差し、前記第５壁部と対向する第６壁部と、
前記第５壁部および前記第６壁部と交差し、前記第１壁部と前記第４壁部との間に位置する第７壁部と、
を備え、
前記第１壁部には、前記液体噴射装置に液体を供給する液体供給部と、前記液体供給部を囲み、かつ前記液体供給ユニットが前記液体噴射装置に装着された装着状態において前記シール部材に当接する外周壁と、前記突起に嵌合する位置決め部と、が設けられ、
前記第７壁部には、前記装着状態において前記電極部に接触する複数の接触部が設けられ、
前記第１壁部と、前記第２壁部と、前記第３壁部と、前記第４壁部と、前記第５壁部と、前記第６壁部と、前記第７壁部と、が前記液体供給部に連通する液体収容部を囲み、
前記第７壁部のうち前記液体収容部側の面を含む平面が、前記液体供給部と交わる、
液体供給ユニットである。このような態様の液体供給ユニットによれば、液体噴射装置に対する液体供給部と接触部との両方の接触位置の精度を向上させることができる。
本発明の第３の態様は、シール部材と突起と電極部とを備える液体噴射装置に装着されるように構成された液体供給ユニットであって、
第１壁部と、
前記第１壁部に対向する第２壁部と、
前記第１壁部および前記第２壁部と交差する第３壁部と、
前記第１壁部および前記第２壁部と交差し前記第３壁部と対向する第４壁部と、
前記第１壁部、前記第２壁部、前記第３壁部および前記第４壁部と交差する第５壁部と、
前記第１壁部、前記第２壁部、前記第３壁部、前記第４壁部と交差し、前記第５壁部と対向する第６壁部と、
前記第５壁部および前記第６壁部と交差し、前記第１壁部と前記第４壁部との間に位置する第７壁部と、
前記第７壁部に設けられた基板と、
を備え、
前記第１壁部には、前記液体噴射装置に液体を供給する液体供給部と、前記液体供給部を囲み、かつ前記液体供給ユニットが前記液体噴射装置に装着された装着状態において前記シール部材に当接する外周壁と、前記装着状態において前記突起に嵌合する位置決め部と、が設けられ、
前記基板には、前記装着状態において前記電極部に接触する複数の接触部が設けられ、
前記第１壁部と、前記第２壁部と、前記第３壁部と、前記第４壁部と、前記第５壁部と、前記第６壁部と、および前記第７壁部と、が前記液体供給部に連通する液体収容部を囲み、
前記装着状態において、前記第７壁部のうち前記基板側の面を含む平面が、前記シール部材と交わる、
液体供給ユニットである。このような態様の液体供給ユニットによれば、液体噴射装置に対する液体供給部と接触部との両方の接触位置の精度を向上させることができる。
本発明の第４の態様は、シール部材と突起と電極部とを備える液体噴射装置に装着されるように構成された液体供給ユニットであって、
第１壁部と、
前記第１壁部に対向する第２壁部と、
前記第１壁部および前記第２壁部と交差する第３壁部と、
前記第１壁部および前記第２壁部と交差し前記第３壁部と対向する第４壁部と、
前記第１壁部、前記第２壁部、前記第３壁部および前記第４壁部と交差する第５壁部と、
前記第１壁部、前記第２壁部、前記第３壁部、前記第４壁部と交差し、前記第５壁部と対向する第６壁部と、
前記第５壁部および前記第６壁部と交差し、前記第１壁部と前記第４壁部との間に位置する第７壁部と、
前記第７壁部に載置された基板と、
を備え、
前記第１壁部には、前記液体噴射装置に液体を供給する液体供給部と、前記液体供給部を囲み、かつ前記液体供給ユニットが前記液体噴射装置に装着された装着状態において前記シール部材に当接する外周壁と、前記装着状態において前記突起に嵌合する位置決め部と、が設けられ、
前記基板には、前記装着状態において前記電極部に接触する複数の接触部が設けられ、
前記第１壁部と、前記第２壁部と、前記第３壁部と、前記第４壁部と、前記第５壁部と、前記第６壁部と、および前記第７壁部と、が前記液体供給部に連通する液体収容部を囲み、
前記装着状態において、前記複数の接触部を含む平面が、前記シール部材と交わる、
液体供給ユニットである。このような態様の液体供給ユニットによれば、液体噴射装置に対する液体供給部と接触部との両方の接触位置の精度を向上させることができる。
【手続補正３】
【補正対象書類名】明細書
【補正対象項目名】０００６
【補正方法】変更
【補正の内容】
【０００６】
（１）本発明の一形態によれば、シール部材と突起と電極部とを備える液体噴射装置に装着されるように構成された液体供給ユニットが提供される。この液体供給ユニットは、前記液体噴射装置に液体を供給する液体供給部と；前記液体供給部を囲み、かつ前記シール部材に当接する外周壁と；前記電極部に接触する複数の接触部と；前記突起に嵌合する位置決め部と、を備える。そして、前記外周壁の端部と前記シール部材とが当接する部分を含む平面を第１基準面とし、前記第１基準面と直交する方向をＺ軸方向とし、前記Ｚ軸方向と直交する方向をＸ軸方向とし、前記Ｚ軸方向および前記Ｘ軸方向と直交する方向をＹ軸方向とし、前記複数の接触部を含む平面を第２基準面とするとき、前記液体供給ユニットを前記Ｚ軸方向に平面視したとき、前記Ｘ軸方向において、前記位置決め部は、前記外周壁の前記端部と前記複数の接触部との間に位置し、前記液体供給ユニットを前記Ｘ軸方向に平面視したとき、前記Ｚ軸方向において、前記位置決め部は、前記外周壁の前記端部と前記複数の接触部との間に位置し、前記第２基準面は、前記シール部材と交わる。このような形態の液体供給ユニットによれば、液体噴射装置に対する液体供給部と接触部との両方の接触位置の精度を向上させることができる。
【手続補正４】
【補正対象書類名】明細書
【補正対象項目名】０００７
【補正方法】変更
【補正の内容】
【０００７】
（２）上記形態の液体供給ユニットにおいて、前記液体供給ユニットを前記Ｚ軸方向に平面視したとき、前記Ｘ軸方向において、前記位置決め部は、前記外周壁の前記端部よりも前記複数の接触部のいずれかに近くてもよい。このような形態によれば、液体噴射装置に対する液体供給ユニットの液体供給部と接触部との両方の接触位置の精度を向上させることができる。
【手続補正５】
【補正対象書類名】明細書
【補正対象項目名】０００８
【補正方法】変更
【補正の内容】
【０００８】
（３）上記形態の液体供給ユニットにおいて、前記液体供給ユニットを前記Ｘ軸方向に平面視したとき、前記Ｚ軸方向において、前記位置決め部は、前記複数の接触部よりも前記外周壁の前記端部に近くてもよい。このような形態によれば、液体噴射装置に対する液体供給部と接触部との両方の接触位置の精度を向上させることができる。
【手続補正６】
【補正対象書類名】明細書
【補正対象項目名】０００９
【補正方法】変更
【補正の内容】
【０００９】
（４）上記形態の液体供給ユニットは、更に、前記液体供給部の形成された第１壁部と、前記第１壁部に対向する第２壁部と、前記第１壁部および前記第２壁部と交差する第３壁部と、前記第１壁部および前記第２壁部と交差し前記第３壁部と対向する第４壁部と、前記第１壁部、前記第２壁部、前記第３壁部および前記第４壁部と交差する第５壁部と、前記第１壁部、前記第２壁部、前記第３壁部および前記第４壁部と交差し、前記第５壁部と対向する第６壁部と、前記第５壁部および前記第６壁部と交差し、前記第１壁部と前記第４壁部との間に位置する第７壁部と、を備え、前記液体供給ユニットを前記Ｘ軸方向に平面視したとき、前記Ｚ軸方向において、前記位置決め部は、前記第１壁部のうち前記第２壁部に対向する面と前記外周壁の前記端部との間に位置してもよい。このような形態によれば、液体噴射装置に対する液体供給部の接触位置の精度を向上させることができる。
【手続補正７】
【補正対象書類名】明細書
【補正対象項目名】００１０
【補正方法】変更
【補正の内容】
【００１０】
（５）上記形態の液体供給ユニットにおいて、前記液体供給ユニットを前記Ｚ軸方向に平面視したとき、前記Ｘ軸方向において、前記位置決め部は、前記第７壁部と前記外周壁の前記端部との間に位置してもよい。このような形態によれば、液体噴射装置に対する液体供給部の接触位置の精度を向上させることができる。
【手続補正８】
【補正対象書類名】明細書
【補正対象項目名】００１４
【補正方法】変更
【補正の内容】
【００１４】
（９）本発明の第２の形態によれば、シール部材と突起と電極部とを備える液体噴射装置に装着されるように構成された液体供給ユニットが提供される。この液体供給ユニットは、第１壁部と；前記第１壁部に対向する第２壁部と；前記第１壁部および前記第２壁部と交差する第３壁部と；前記第１壁部および前記第２壁部と交差し前記第３壁部と対向する第４壁部と；前記第１壁部、前記第２壁部、前記第３壁部および前記第４壁部と交差する第５壁部と；前記第１壁部、前記第２壁部、前記第３壁部、前記第４壁部と交差し、前記第５壁部と対向する第６壁部と；前記第５壁部および前記第６壁部と交差し、前記第１壁部と前記第４壁部との間に位置する第７壁部と；を備える。そして、前記第１壁部には、前記液体噴射装置に液体を供給する液体供給部と、前記液体供給部を囲み、かつ前記シール部材に当接する外周壁と、前記突起に嵌合する位置決め部と、が設けられ、前記第７壁部には、前記電極部に接触する複数の接触部が設けられ、前記第１壁部と、前記第２壁部と、前記第３壁部と、前記第４壁部と、前記第５壁部と、前記第６壁部と、前記第７壁部と、が前記液体供給部に連通する液体収容部を囲み、前記第７壁部のうち前記液体収容部側の面を含む平面が、前記液体供給部と交わる。このような形態の液体供給ユニットによれば、液体噴射装置に対する液体供給部と接触部との両方の接触位置の精度を向上させることができる。
【手続補正９】
【補正対象書類名】明細書
【補正対象項目名】００１５
【補正方法】変更
【補正の内容】
【００１５】
（１０）本発明の第３の形態によれば、シール部材と突起と電極部とを備える液体噴射装置に装着されるように構成された液体供給ユニットが提供される。この液体供給ユニットは、第１壁部と；前記第１壁部に対向する第２壁部と；前記第１壁部および前記第２壁部と交差する第３壁部と；前記第１壁部および前記第２壁部と交差し前記第３壁部と対向する第４壁部と；前記第１壁部、前記第２壁部、前記第３壁部および前記第４壁部と交差する第５壁部と；前記第１壁部、前記第２壁部、前記第３壁部、前記第４壁部と交差し、前記第５壁部と対向する第６壁部と；前記第５壁部および前記第６壁部と交差し、前記第１壁部と前記第４壁部との間に位置する第７壁部と；前記第７壁部に設けられた基板と；を備える。そして、前記第１壁部には、前記液体噴射装置に液体を供給する液体供給部と、前記液体供給部を囲み、かつ前記シール部材に当接する外周壁と、前記突起に嵌合する位置決め部と、が設けられ、前記基板には、前記電極部に接触する複数の接触部が設けられ、前記第１壁部と、前記第２壁部と、前記第３壁部と、前記第４壁部と、前記第５壁部と、前記第６壁部と、および前記第７壁部と、が前記液体供給部に連通する液体収容部を囲み、前記第７壁部のうち前記基板側の面を含む平面が、前記シール部材と交わる。このような形態の液体供給ユニットによれば、液体噴射装置に対する液体供給部と接触部との両方の接触位置の精度を向上させることができる。
【手続補正１０】
【補正対象書類名】明細書
【補正対象項目名】００１６
【補正方法】変更
【補正の内容】
【００１６】
（１１）本発明の第４の形態によれば、シール部材と突起と電極部とを備える液体噴射装置に装着されるように構成された液体供給ユニットが提供される。この液体供給ユニットは、第１壁部と、前記第１壁部に対向する第２壁部と；前記第１壁部および前記第２壁部と交差する第３壁部と；前記第１壁部および前記第２壁部と交差し前記第３壁部と対向する第４壁部と；前記第１壁部、前記第２壁部、前記第３壁部および前記第４壁部と交差する第５壁部と；前記第１壁部、前記第２壁部、前記第３壁部、前記第４壁部と交差し、前記第５壁部と対向する第６壁部と；前記第５壁部および前記第６壁部と交差し、前記第１壁部と前記第４壁部との間に位置する第７壁部と；前記第７壁部に載置された基板と；を備える。そして、前記第１壁部には、前記液体噴射装置に液体を供給する液体供給部と、前記液体供給部を囲み、かつ前記シール部材に当接する外周壁と、前記突起に嵌合する位置決め部と、が設けられ、前記基板には、前記電極部に接触する複数の接触部が設けられ、前記第１壁部と、前記第２壁部と、前記第３壁部と、前記第４壁部と、前記第５壁部と、前記第６壁部と、および前記第７壁部と、が前記液体供給部に連通する液体収容部を囲み、前記複数の接触部を含む平面が、前記シール部材と交わる。このような形態の液体供給ユニットによれば、液体噴射装置に対する液体供給部と接触部との両方の接触位置の精度を向上させることができる。
【手続補正１１】
【補正対象書類名】明細書
【補正対象項目名】００４５
【補正方法】変更
【補正の内容】
【００４５】
図６及び図１０に示すように、第４壁部２０４には、第１のカートリッジ側規制部２１０（一方のリブ２１０）が形成されている。第１のカートリッジ側規制部２１０は、第４壁部２０４から突出するように設けられた突起である。第１のカートリッジ側規制部２１０は、装着状態においてレバー８０によって係止される。図５及び図９に示すように、第３壁部２０３には、第２のカートリッジ側規制部２２１（他方のリブ２２１）が形成されている。第２のカートリッジ側規制部２２１は、第３壁部２０３から突出するように設けられた突起である。装着状態において、第２のカートリッジ側規制部２２１は、ホルダー６０の壁部６０４（図３）に形成された穴である装置側規制部６２０に挿入されて係止される。すなわち、装着状態においては、ホルダー６０のレバー８０と装置側規制部６２０とによって、カートリッジ２０がＸ軸方向両側において係止されることで、カートリッジ２０がホルダー６０に対して固定される。
【手続補正１２】
【補正対象書類名】明細書
【補正対象項目名】００４７
【補正方法】変更
【補正の内容】
【００４７】
ホルダー６０に設けられた電極部６１は、弾性力を有しており、装着状態において、接触部１６は電極部６１からの反発力を、＋Ｚ方向及び−Ｘ方向に受けている。位置決め部３０、第１のカートリッジ側規制部２１０、および第２のカートリッジ側規制部２２１によって、カートリッジ２０の＋Ｚ方向や−Ｘ方向への移動が規制される一方、接触部１６が電極部６１からの反発力を＋Ｚ方向や−Ｘ方向へ受けることによって、接触部１６と電極部６１とが、接触状態を保持しやすくなっている。
【手続補正１３】
【補正対象書類名】明細書
【補正対象項目名】００５２
【補正方法】変更
【補正の内容】
【００５２】
フォーム３４は、板バネ３５とカートリッジ側フィルター３６との間に配置される多孔部材である。フォーム３４は、開口２７７を通じて液体収容部２００内から供給されたインクを、カートリッジ側フィルター３６に拡散させて供給する。フォーム３４は、例えば、ポリエチレンテレフタレート等の合成樹脂により形成されている。
【手続補正１４】
【補正対象書類名】明細書
【補正対象項目名】００６２
【補正方法】変更
【補正の内容】
【００６２】
図１６に示すように、液体収容部２００のインクが消費され、受圧板２９３が第５壁部２０５側に近づくと、受圧板２９３がレバー部４９を第５壁部２０５側に押す。これにより、弁部４３が空気導入口４７から離れる。すなわち、弁部材４４が開弁状態となる。そして、外部の空気が通気口２９０、空気室２４１および空気導入口４７を通じて液体収容部２００に流入する。これにより、図１７に示すように空気が導入された分だけ液体収容部２００の容積が大きくなる。同時に、液体収容部２００内の負圧は小さくなり、大気圧に近づく。そして、液体収容部２００にある程度の空気が導入されると、受圧板２９３がレバー部４９から離れる。これにより、弁部４３が再び空気導入口４７を塞ぐ。すなわち、弁部材４４が閉弁状態となる。このように、液体収容部２００のインクの消費に伴って、液体収容部２００内の負圧が大きくなると、一時的に弁部材４４が開弁状態になることで液体収容部２００内の圧力を適切な圧力範囲に維持することが可能となる。そのため、例えば、液体収容部２００内の負圧が大きくなりすぎ、インクが液体供給部２８０から供給されなくなることを抑制することができる。
【手続補正１５】
【補正対象書類名】明細書
【補正対象項目名】００６４
【補正方法】変更
【補正の内容】
【００６４】
蓋部材２３は、シート部材２９１を覆うように本体部材２１に取り付けられる。本体部材２１と蓋部材２３は、ポリプロピレン等の合成樹脂により形成されている。シート部材２９１は、ナイロンとポリプロピレンを含む材料等の合成樹脂により形成されている。
【手続補正１６】
【補正対象書類名】明細書
【補正対象項目名】００６９
【補正方法】変更
【補正の内容】
【００６９】
図１９は、装着状態におけるカートリッジ２０とキャリッジユニット５２０とのＸＺ断面図である。図１９には、Ｙ軸方向に平行な４つの基準面ＲＰ１〜ＲＰ４を示している。第１基準面ＲＰ１は、装着状態において、外周壁２８８の端部２８９とシール部材６４８とが当接する面を含む平面である。第２基準面ＲＰ２は、複数の接触部１６を含む平面である。より詳しくは、第２基準面ＲＰ２は、複数の接触部１６が構成する２つの列Ｒ１，Ｒ２（図６）を含む平面である。第３基準面ＲＰ３は、第７壁部２０７のうち液体収容部２００側の面を含む平面である。第４基準面ＲＰ４は、第７壁部２０７のうち基板１５側の面を含む平面である。
【手続補正１７】
【補正対象書類名】明細書
【補正対象項目名】００７１
【補正方法】変更
【補正の内容】
【００７１】
本実施形態では、カートリッジ２０をＺ軸方向に平面視したとき、Ｘ軸方向において、位置決め部３０は、外周壁２８８の端部２８９と複数の接触部１６との間に位置する。また、カートリッジ２０をＸ軸方向に平面視したとき、Ｚ軸方向において、位置決め部３０は、外周壁２８８の端部２８９と複数の接触部１６との間に位置する。更に、第２基準面ＲＰ２は、シール部材６４８と交わる。このような構成によれば、位置決め部３０の位置を、液体供給部２８０と基板１５との両方に近づけることができる。従って、基板１５と電極部６１の接触位置の精度と、液体供給部２８０と液体導入部６４０の接触位置の精度との両方を高めることができる。つまり、プリンター５０に対するカートリッジ２０の液体供給部２８０と接触部１６との両方の接触位置の精度を向上させることができる。
【手続補正１８】
【補正対象書類名】明細書
【補正対象項目名】００７２
【補正方法】変更
【補正の内容】
【００７２】
また、本実施形態では、Ｚ軸方向に平面視したとき、Ｘ軸方向において、位置決め部３０は、外周壁２８８の端部２８９よりも複数の接触部１６のいずれかに近い。つまり、Ｚ軸方向に平面視したとき、Ｘ軸方向において、外周壁２８８の端部２８９と位置決め部３０との間の最短距離よりも、複数の接触部１６のうちの最も位置決め部３０に近い接触部１６と位置決め部３０との間の最短距離の方が短い。更に、カートリッジ２０をＸ軸方向に平面視したとき、Ｚ軸方向において、位置決め部３０は、複数の接触部１６よりも外周壁２８８の端部２８９に近い。つまり、Ｘ軸方向に平面視したとき、Ｚ軸方向において、外周壁２８８の端部２８９と位置決め部３０との間の最短距離の方が、複数の接触部１６と位置決め部３０との間の最短距離よりも短い。そのため、プリンター５０に対するカートリッジ２０の液体供給部２８０と接触部１６との両方の接触位置の精度を向上させることができる。
【手続補正１９】
【補正対象書類名】明細書
【補正対象項目名】００７３
【補正方法】変更
【補正の内容】
【００７３】
また、本実施形態では、カートリッジ２０をＸ軸方向に平面視したとき、Ｚ軸方向において、位置決め部３０は、第１壁部２０１のうち第２壁部２０２に対向する面２１１と外周壁２８８の端部２８９との間に位置する。そのため、位置決め部３０を液体供給部２８０に近づけることができる。従って、プリンター５０に対するカートリッジ２０の液体供給部２８０の接触位置の精度を向上させることができる。
【手続補正２０】
【補正対象書類名】明細書
【補正対象項目名】００７４
【補正方法】変更
【補正の内容】
【００７４】
また、本実施形態では、カートリッジ２０をＺ軸方向に平面視したとき、Ｘ軸方向において、位置決め部３０は、第７壁部２０７と外周壁２８８の端部２８９との間に位置する。そのため、位置決め部３０を液体供給部２８０に近づけることができる。従って、プリンター５０に対するカートリッジ２０の液体供給部２８０の接触位置の精度を向上させることができる。
【手続補正２１】
【補正対象書類名】明細書
【補正対象項目名】００７５
【補正方法】変更
【補正の内容】
【００７５】
また、本実施形態では、カートリッジ２０をＸ軸方向に平面視したとき、Ｚ軸方向において、位置決め部３０は、開口２７７と外周壁２８８の端部２８９との間に位置する。そのため、位置決め部３０を液体供給部２８０に近づけることができる。従って、プリンター５０に対するカートリッジ２０の液体供給部２８０の接触位置の精度を向上させることができる。
【手続補正２２】
【補正対象書類名】明細書
【補正対象項目名】００７６
【補正方法】変更
【補正の内容】
【００７６】
また、本実施形態では、第１壁部２０１に外周壁２８８と位置決め部３０とが設けられ、第３基準面ＲＰ３が、液体供給部２８０と交わる。そのため、位置決め部３０の位置を、液体供給部２８０と基板１５との両方に近づけることができる。従って、プリンター５０に対するカートリッジ２０の液体供給部２８０と接触部１６との両方の接触位置の精度を向上させることができる。
【手続補正２３】
【補正対象書類名】明細書
【補正対象項目名】００７７
【補正方法】変更
【補正の内容】
【００７７】
また、本実施形態では、第１壁部２０１に外周壁２８８と位置決め部３０とが設けられ、第４基準面ＲＰ４が、シール部材６４８と交わる。そのため、位置決め部３０の位置を、液体供給部２８０と基板１５との両方に近づけることができる。従って、プリンター５０に対するカートリッジ２０の液体供給部２８０と接触部１６との両方の接触位置の精度を向上させることができる。
【手続補正２４】
【補正対象書類名】明細書
【補正対象項目名】００８２
【補正方法】変更
【補正の内容】
【００８２】
本実施形態においてホルダー６０に設けられた突起６１０が位置決め部３０に対して当接する方向は、以下に示す（１）〜（３）の方向のすべての方向であってもよいし、いずれか一つの方向であってもよい。
（１）第３壁部２０３から第４壁部２０４に向かう方向（＋Ｘ軸方向）。
（２）第５壁部２０５から第６壁部２０６に向かう方向（＋Ｙ軸方向）。
（３）第６壁部２０６から第５壁部２０５に向かう方向（−Ｙ軸方向）。